(57)【特許請求の範囲】
【請求項１】
手の平側を覆う基材と手の甲側を覆う複数の甲側部材を有し、前記基材と前記甲側部材および前記甲側部材同士を縫合してなる作業用手袋において、
前記作業用手袋の甲側における指股近傍では、前記基材と前記甲側部材および前記甲側部材同士の端部が内側に突出した状態で縫い付けられ、手首側の位置では、前記甲側部材同士の端部が外側に突出した状態で縫い付けられたことを特徴とする作業用手袋。
【発明の詳細な説明】
【０００１】
【発明の属する技術分野】
本発明は、作業用手袋に関し、特に、複数の部材を縫合してなる作業用手袋に関する。
【０００２】
【従来の技術】
従来、図８に示すように、作業用手袋１０１は、手の平側と手の甲側の一部を覆う基材１０２と、手の甲側を覆う中指用甲側部材１０３、薬指用甲側部材１０４および小指用甲側部材１０５を有している。
【０００３】
基材１０２は、手の平と人差指から小指までの各指平を覆い、人差指で折り返されて、人差指の指甲と人差指の下方の手の甲をさらに覆う。中指用甲側部材１０３は、中指の指甲とその下方の手の甲を覆う。薬指用甲側部材１０４は、薬指の指甲とその下方の手の甲を覆う、小指用甲側部材１０５は、小指の指甲とその下方の手の甲を覆う。
【０００４】
そして、作業用手袋１０１は、基材１０２の一方の側縁部１０２ａと中指用甲側部材１０３、中指用甲側部材１０３と薬指用甲側部材１０４、薬指用甲側部材１０４と小指用甲側部材１０５および小指用甲側部材１０５と基材１０２の他方の側縁部をそれぞれ縫合し、基材１０２の指先の周縁部と中指用甲側部材１０３、薬指用甲側部材１０４および小指用甲側部材１０５の指先の周縁部をそれぞれ縫合することにより構成されている。
【０００５】
また、基材１０２には、親指の指平を覆う親指平部材１０６と親指の指甲を覆う親指甲部材１０７が縫合され、親指平部材１０６と親指甲部材１０７は互いに縫合されて親指袋を形成している。
【０００６】
基材１０２の側縁部１０２ａと中指用甲側部材１０３の縫合部１０８、中指用甲側部材１０３と薬指用甲側部材１０４の縫合部１０９および薬指用甲側部材１０４と小指用甲側部材１０５の縫合部１１０は、手の甲に当たって痛くなるのを防ぐために、人差指から小指までの各指股から手の甲部にかけて、作業用手袋１０１の外側に突出して設けられている。また、小指用甲側部材１０５と基材１０２の縫合部（図示せず）は、小指の側方で、作業用手袋１０１の内側に突出して設けられている。
【０００７】
また、従来、図９および図１０に示すように、作業用手袋１１１は、手の平側を覆う基材１１２と手の甲側を覆う１枚の甲側部材１１３から構成されることもある。
【０００８】
基材１１２は、手の平と人差指から小指までの各指平を覆い、甲側部材１１３は、手の甲と人差指から小指までの各指甲を覆っている。そして、作業用手袋１１１は、基材１１２の人差指側の側縁部１１２ａと甲側部材１１３の人差指側の側縁部１１３ａを縫合し、基材１１２の小指側の側縁部と甲側部材１１３の小指側の側縁部を縫合することにより構成されている。
【０００９】
また、基材１１２には、親指の指平を覆う親指平部材１１４と親指の指甲を覆う親指甲部材１１５が縫合され、親指平部材１１４と親指甲部材１１５は互いに縫合され親指袋を形成している。また、人差指から小指までの各指間には、指間に余裕を持たせるために、マチ部材１１６〜１１８がそれぞれ縫合されている。
【００１０】
基材１１２の人差指側の側縁部１１２ａと甲側部材１１３の人差指側の側縁部の縫合部１１９は、親指と人差指の間で、作業用手袋１１１の外側に突出して設けられている。また、基材１１２の小指側の側縁部と甲側部材１１３の小指側の側縁部の縫合部（図示せず）は、小指の側方で、作業用手袋１１１の内側に突出して設けられている。
【００１１】
【発明が解決しようとする課題】
しかし、図８に示すような従来の作業用手袋１０１では、図１１に示すように、人差指から小指までの指股１２０〜１２２で、基材１０２の側部１０２ｂと甲側部材１０３〜１０５の側部１０３ａ、１０４ａおよび１０５ａが、それぞれ外側に折り返されて縫合されている。
【００１２】
そのため、指股１２０〜１２２では、縫合部１０８〜１１０が作業用手袋１０１の外側に突出して設けられているので、作業時に手を握って力を入れると、縫合部１０８〜１１０を指股１２０〜１２２で挟み込んでしまい、指股１２０〜１２２が痛くなるという問題があった。特に、作業用手袋は、手を保護するために、生地が厚い場合や硬い場合が多いが、その場合は、指股での縫合部が大きくなったり硬くなったりするため、縫合部を指股で挟み込む際の指股の痛みが増した。
【００１３】
また、図９および図１０に示すような従来の作業用手袋１１１では、基材１１２と甲側部材１１３の縫合部１１９が親指と人差指の間に設けられているため、作業時に手を握って力を入れると、縫合部１１９を親指と人差指の指股で挟み込んでしまい、指股が痛くなるという問題があった。
【００１４】
本発明は、これらの課題を解決するためになされたもので、手を握って力を入れた際に、指股が痛くなることのない作業用手袋を提供することを目的とする。
【００１５】
【課題を解決するための手段】
課題を解決するため、第１の発明に係る作業用手袋は、手の平側を覆う基材と手の甲側を覆う複数の甲側部材を有し、基材と甲側部材および甲側部材同士を縫合してなる作業用手袋において、作業用手袋の甲側における指股近傍では、基材と甲側部材および甲側部材同士の端部が内側に突出した状態で縫い付けられ、手首側の位置では、甲側部材同士の端部が外側に突出した状態で縫い付けられたことを特徴とする。
【００１６】
このように構成することで、人差指から小指までの各指間では、指股近傍の縫合部は手袋の内側に突出して設けられるので、人差指から小指までの各指間で、作業用手袋の外側に突出する縫合部はなくなる。したがって、手を握って力を入れた際に、縫合部を指股で挟み込んでしまい、指股が痛くなるということがなくなる。
【００１９】
【発明の実施の形態】
本発明の第１の実施の形態を図面を参照して説明する。図１は作業用手袋を示す背面図であり、図２は作業用手袋を示す正面図である。また、図３は、図１のＡ−Ａ線断面図である。
【００２０】
図１および図２に示すように、作業用手袋１は、基材２、中指用甲側部材３、薬指用甲側部材４および小指用甲側部材５を有する。
【００２１】
基材２は、手の平と人差指から小指までの各指平を覆い、人差指で折り返されて、人差指の指甲と人差指の下方の手の甲を覆う。
【００２２】
中指用甲側部材３は、中指の指甲と中指の下方の手の甲を覆い、薬指用甲側部材４は、薬指の指甲と薬指の下方の手の甲を覆い、小指用甲側部材５は、小指の指甲と小指の下方の手の甲を覆う。
【００２３】
そして、作業用手袋１は、基材２の人差指側の側縁部２ａと中指用甲側部材３、中指用甲側部材３と薬指用甲側部材４、薬指用甲側部材４と小指用甲側部材５および小指用甲側部材５と基材２の小指側の側縁部２ｂをそれぞれ縫合し、基材２の指先の周縁部と中指用甲側部材３、薬指用甲側部材４および小指用甲側部材５の指先の周縁部をそれぞれ縫合することにより構成される。
【００２４】
また、基材２には、親指の指平を覆う親指平部材６と親指の指甲を覆う親指甲部材７が縫合され、親指平部材６と親指甲部材７は互いに縫合されて親指袋を形成する。親指平部材６と基材２の縫合部１１、親指甲部材７と基材２の縫合部１２および親指平部材６と親指甲部材７の縫合部１３は、作業用手袋１の外側に突出して設けられる
【００２５】
また、親指と人差指の指股には、親指と人差指の間を補強する補強部材１４が縫合される。また、基材２、中指用甲側部材３、薬指用甲側部材４、小指用甲側部材５、親指平部材６および親指甲部材７の下端には、手首を覆う手首部材１５が縫合される。
【００２６】
基材２の側縁部２ａと中指用甲側部材３の縫合部８、中指用甲側部材３と薬指用甲側部材４の縫合部９および薬指用甲側部材４と小指用甲側部材５の縫合部１０は、手の甲部では、作業用手袋１の外側に突出して設けられ、指股近傍では、作業用手袋１の内側に突出して設けられる。また、基材２の側縁部２ｂと小指用甲側部材５の縫合部（図示せず）は、小指の側方で、作業用手袋１の内側に突出して設けられる。
【００２７】
人差指から小指までの間の指股１６〜１８では、図３に示すように、基材２の側部２ｃと中指用甲側部材３の側部３ａ、中指用甲側部材３の側部３ａと薬指用甲側部材４の側部４ａおよび薬指用甲側部材４の側部４ａと小指用甲側部材５の側部５ａがそれぞれ縫合される。
【００２８】
指股１６〜１８について、指股１７を例に説明すると、図４（ａ）に示すように、指股１７では、中指用甲側部材３の側部３ａと薬指用甲側部材４の側部４ａが、作業用手袋１の内側で縫い付けられている。つまり、縫合部９は、指股１７で、作業用手袋１の内側に突出して設けられている。
【００２９】
また、図４（ｂ）に示すように、図１０に示した従来の作業用手袋１０１の指股１２１では、中指用甲側部材１０３の側部１０３ａと薬指用甲側部材１０４の側部１０４ａをそれぞれ外側に折り返して、作業用手袋１０１の外側で縫い付けられている。つまり、縫合部１０９は、作業用手袋１０１の外側に突出して設けられている。
【００３０】
以上のことから、従来の作業用手袋１０１では、指股１２１近傍の縫合部１０９が手袋の外側で縫い付けられているのに対して、本発明の作業用手袋１では、指股１７近傍の縫合部９が手袋の内側で縫い付けられているので、手袋の外側に突出する縫合部はなくなる。また、従来の作業用手袋１０１では、指股１２１の厚さが作業用手袋の皮４枚分だったのに対して、本発明の作業用手袋１では、指股１７の厚さが作業用手袋の皮２枚分となるので、指股１７近傍での縫合部９の厚みは、従来の作業用手袋１０１の指股１２１近傍での縫合部１０９の厚みに比べて、薄くなる。
【００３１】
したがって、手を握って力を入れた際に、縫合部８〜１０を指股１６〜１８で挟み込んでしまい、指股１６〜１８が痛くなるということがなくなる。また、指股１６〜１８の近傍の縫合部８〜１０は、手の甲には当たらないので、装着感が悪くなることはない。
【００３２】
次に、本発明の参考例を図面を参照して説明する。図５は、作業用手袋を示す背面図であり、図６は作業用手袋を示す正面図である。また、図７は作業用手袋を示す側面図である。
【００３３】
図５ないし図７に示すように、作業用手袋２１は、手の平側を覆う基材２２と、手の甲側を覆う１枚の甲側部材２３を有する。
【００３４】
基材２２は、手の平と人差指から小指までの各指平を覆い、人差指で折り返されて、人差指の指甲と人差指の下方の手の甲を覆う。甲側部材２３は、手の甲と中指から小指までの各指甲を覆う。
【００３５】
そして、作業用手袋２１は、基材２２の人差指側の側縁部２２ａと甲側部材２３の人差指側の側縁部２３ａを縫合し、基材２２の小指側の側縁部２２ｂと甲側部材２３の小指側の側縁部２３ｂを縫合することにより構成される。
【００３６】
また、基材２２には、親指の指平を覆う親指平部材２４と親指の指甲を覆う親指甲部材２５が縫合され、親指平部材２４と親指甲部材２５は互いに縫合されて親指袋を構成する。親指平部材２４と基材２２の縫合部２８、親指甲部材２５と基材２２の縫合部２９および親指平部材２４と親指甲部材２５の縫合部３０は、作業用手袋２１の外側に突出して設けられる。
【００３７】
また、人差指から小指までの各指間には、指間に余裕を持たせるために、マチ部材３１〜３３がそれぞれ縫合される。また、親指と人差指の指股には、親指と人差指の間を補強する補強部材３４が縫合される。また、基材２２、甲側部材２３、親指平部材２４および親指甲部材２５の下端には、手首を覆う手首部材３５が縫合される。
【００３８】
基材２２の人差指側の側縁部２２ａと甲側部材２３の中指側の側縁部２３ａの縫合部２６は、人差指と中指の間で、作業用手袋２１の外側に突出して設けられる。また、基材２２の小指側の側縁部２２ｂと甲側部材２３の小指側の側縁部２３ｂの縫合部（図示せず）は、小指の側方で、作業用手袋２１の内側に突出して設けられる。
【００３９】
以上のことから、作業用手袋２１では、親指と人差指の指股には縫合部はなくなるので、手を握って力を入れた際に、縫合部を親指と人差指の指股で挟み込んでしまい、指股が痛くなるということがなくなる。また、縫合部２６は、人差指と中指の間で、作業用手袋２１の外側に突出して設けられるので、作業用手袋２１を装着した際に邪魔にならない。
【００４０】
なお、ここでは、縫合部２６は人差指と中指の間に設けたが、縫合部２６が設けられる場所は、人差指から小指まで指間ならどこに設けてもかまわない。例えば、縫合部２６を中指と薬指の間や薬指と小指の間に設けることもできる。
【００４１】
【発明の効果】
請求項１に記載の発明によれば、人差指から小指までの各指間では、指股近傍の縫合部は手袋の内側に突出して設けられるので、人差指から小指までの各指間で、作業用手袋の外側に突出する縫合部はなくなる。したがって、手を握って力を入れた際に、縫合部を指股で挟み込んでしまい、指股が痛くなるということがなくなる。
【図面の簡単な説明】
【図１】  本発明の作業用手袋の第１の実施の形態を示す背面図である。
【図２】  本発明の作業用手袋の第１の実施の形態を示す正面図である。
【図３】  図１のＡ−Ａ線断面図である。
【図４】  （ａ）は図３のＢ−Ｂ線断面図であり、（ｂ）は図１１のＤ−Ｄ線断面図である。
【図５】  本発明の作業用手袋の参考例を示す背面図である。
【図６】  本発明の作業用手袋の参考例を示す正面図である。
【図７】  本発明の作業用手袋の参考例を示す側面図である。
【図８】  従来の作業用手袋を示す背面図である。
【図９】  従来の他の作業用手袋を示す背面図である。
【図１０】  従来の他の作業用手袋を示す側面図である。
【図１１】  図８のＣ−Ｃ線断面図である。
【符号の説明】
１    作業用手袋
２    基材
２ａ  側縁部
２ｂ  側縁部
３    中指用甲側部材
４    薬指用甲側部材
５    小指用甲側部材
８    縫合部
９    縫合部
１０  縫合部
【図１】
0003787274.tif 000002
【図２】
0003787274.tif 000003
【図３】
0003787274.tif 000004
【図４】
0003787274.tif 000005
【図５】
0003787274.tif 000006
【図６】
0003787274.tif 000007
【図７】
0003787274.tif 000008
【図８】
0003787274.tif 000009
【図９】
0003787274.tif 000010
【図１０】
0003787274.tif 000011
【図１１】
0003787274.tif 000012